(57)【要約】本発明は、乾チャネルと湿チャネルを形成するための複数の隔壁板と熱交換部とエアガイドを簡単な工程によって一体製造できるエアガイド一体型蒸発冷却機およびその製造方法を提供することにその目的がある。これを具現するための本発明のエアガイド一体型蒸発冷却機は複数の隔壁板１０、２０、３０、４０、前記複数の隔壁板１０、２０、３０、４０の間に位置し、中央部に互いに離隔して配置されて熱交換部５４、６４をなす複数のバー５２、６２と、前記複数の隔壁板１０、２０、３０、４０の縁に配置されて流体の流れ方向を決定するガイド部５１、６１からなる隙間部５０、６０を含んで構成される。【選択図】図１
2017521629.tif 000002
【特許請求の範囲】
【請求項１】
複数の隔壁板（１０、２０、３０、４０）、
前記複数の隔壁板（１０、２０、３０、４０）の間に位置し、中央部に互いに離隔して配置されて熱交換部（５４、６４）をなす複数のバー（５２、６２）と、前記複数の隔壁板（１０、２０、３０、４０）の縁に配置されて流体の流れ方向を決定するガイド部（５１、６１）からなる隙間部（５０、６０）、を含んで構成されることを特徴とする、
エアガイド一体型蒸発冷却機。
【請求項２】
前記複数の隔壁板（１０、２０、３０、４０）は一定間隔離隔した第１〜第３隔壁板（１０、２０、３０）を含み、前記第１隔壁板（１０）と第２隔壁板（２０）の間には室内空気と外気が流動する乾チャネル（ＤＣ）が形成され、前記第２隔壁板（２０）と第３隔壁板（３０）の間には水と抽気空気が流動する湿チャネル（ＷＣ）が形成されたことを特徴とする、請求項１に記載のエアガイド一体型蒸発冷却機。
【請求項３】
前記隙間部（５０、６０）は前記第１隔壁板（１０）と第２隔壁板（２０）の間に具備される第１隙間部（５０）と、前記第２隔壁板（２０）と第３隔壁板（３０）の間に具備される第２隙間部（６０）からなり、前記第１隙間部（５０）での流体の流れは前記第２隙間部（６０）での流体の流れと対向流を形成することを特徴とする、請求項２に記載のエアガイド一体型蒸発冷却機。
【請求項４】
前記隔壁板（１０、２０、３０、４０）のそれぞれには、一側に突出するか複数個中の一部は一側に突出し残りは他側に突出した複数の浮き彫り（１１、２１、３１、４１）が形成されたことを特徴とする、請求項２に記載のエアガイド一体型蒸発冷却機。
【請求項５】
前記浮き彫り（１１、２１、３１、４１）のうち乾チャネル（ＤＣ）方向に突出した浮き彫り（１１、２１、３１、４１）は前記室内空気と外気の流れ方向と平行した方向に長さを有するように形成されたことを特徴とする、請求項４に記載のエアガイド一体型蒸発冷却機。
【請求項６】
前記浮き彫り（１１、２１、３１、４１）は、隣接した他の隔壁板の浮き彫りと接することを特徴とする、請求項４に記載のエアガイド一体型蒸発冷却機。
【請求項７】
前記ガイド部（５１、６１）は、前記隔壁板（１０、２０、３０、４０）の一側と他側の縁に互いに対向するように一対が具備され、前記隔壁板（１０、２０、３０、４０）と接触する面が接合されて前記一対のガイド部（５１、６１）の間の開放された一側を通じて前記流体が流入し、前記一対のガイド部（５１、６１）の間の開放された他側を通じて前記流体が流出することを特徴とする、請求項１に記載のエアガイド一体型蒸発冷却機。
【請求項８】
前記バー（５２；ｂａｒ）は、前記隔壁板（１０、２０、３０、４０）の対角線方向である水平方向に一定間隔離隔して並んで配列された複数で構成されたことを特徴とする、請求項７に記載のエアガイド一体型蒸発冷却機。
【請求項９】
前記ガイド部（５１、６１）とバー（５２、６２）は、アルミニウムクラッドからなり、外層が内側に比べて溶融点が低いアルミニウムからなり、前記クラッドの外層が加熱によって溶けて前記ガイド部（５１、６１）とバー（５２、６２）は前記隔壁板（１０、２０、３０、４０）に一体接合されることを特徴とする、請求項１に記載のエアガイド一体型蒸発冷却機。
【請求項１０】
前記複数のバー（５２、６２）は内部が中空であって断面が長方形であるパイプ形状に形成され、前記バー（５２、６２）の一側面と他側面は隣り合う隔壁板にそれぞれ接触結合され、前記流体は隣り合うバー（５２、６２）の間の空間（５３、６３）の間と前記バー（５２、６２）の内部空間を通じて流動することを特徴とする、請求項１に記載のエアガイド一体型蒸発冷却機。
【請求項１１】
複数の隔壁板（１０、２０、３０、４０）、
前記複数の隔壁板（１０、２０、３０、４０）の間に位置し、中央部に互いに離隔して配置されて熱交換部（５４、６４）をなし、内層と外層のクラッドからなる複数のバー（５２、６２）と、前記複数の隔壁板（１０、２０、３０、４０）の縁に配置されて流体の流れ方向を決定し、内層と外層のクラッドからなるガイド部（５１、６１）からなる隙間部（５０、６０）、を含むエアガイド一体型蒸発冷却機の製造方法であって、
ａ）前記複数の隔壁板（１０、２０、３０、４０）と前記バー（５２、６２）および前記ガイド部（５１、６１）を準備する段階、
ｂ）前記複数の隔壁板（１０、２０、３０、４０）中のいずれか一つの上部に前記バー（５２、６２）と前記ガイド部（５１、６１）を配列させた後、その次の隔壁板（１０、２０、３０、４０）を覆ってから前記バー（５２、６２）と前記ガイド部（５１、６１）を配列させる過程を繰返し遂行する段階、
ｃ）前記ｂ）段階の結果物を加熱して、前記ガイド部（５１、６１）とバー（５２、６２）で前記内層より溶融点の低い外層が溶けて、前記隔壁板（１０、２０、３０、４０）と前記バー（５２、６２）および前記ガイド部（５１、６１）が接合されるようにする段階、を含む、
エアガイド一体型蒸発冷却機の製造方法。
【請求項１２】
前記ガイド部（５１、６１）とバー（５２、６２）はアルミニウムクラッドからなることを特徴とする、請求項１１に記載のエアガイド一体型蒸発冷却機の製造方法
【請求項１３】
前記ｂ）段階で、一つの隔壁板（１０、２０、３０、４０）を挟んで隣り合う隙間部（５０、６０）を流動する流体の流動方向が対向流となるように前記ガイド部（５１、６１）とバー（５２、６２）を配列させることを特徴とする、請求項１１に記載のエアガイド一体型蒸発冷却機の製造方法。
【発明の詳細な説明】
【技術分野】
【０００１】
本発明はエアガイド一体型蒸発冷却機およびその製造方法に関するもので、さらに詳細には蒸発式冷房および除湿装置に適用することができるエアガイド一体型蒸発冷却機およびその製造方法に関するものである。
【背景技術】
【０００２】
一般的に使われる冷房および除湿装置であるエアコンは冷媒を使用するため、冷媒の漏れによるオゾン層の破壊と地球温暖化問題の主犯と認識されている。このような冷媒使用の問題点を勘案して室内排気と室外吸入空気間の顕熱および潜熱の伝達を通じて換気負荷を軽減させるエネルギー換気装置が開発された。
【０００３】
しかし、従来の換気装置は潜熱回収率が顕熱回収率に比べて顕著に低いため、冷房負荷増加に対応できない問題点があった。このような従来のエネルギー換気装置の問題点を考慮して再生蒸発式冷房技術が開発された。
【０００４】
再生蒸発式冷房技術は水の蒸発冷却効果を利用して空気の温度を下げるもので、水以外の冷媒は使用しないため、既存のエアコンが有する問題点を解決することができ、冷房負荷を十分に減少させることができる長所がある。
【０００５】
このような再生蒸発式冷房機に適用される冷却機は、湿チャネルと乾チャネルが連続かつ繰り返して形成されている。乾チャネルは室内空気と室外空気が混合されて通過し、乾チャネルを通過した空気の一部を水に濡れている湿チャネルを通じて抽気（ｅｘｈａｕｓｔ）させて水の蒸発を誘導する。水が湿チャネルの表面から蒸発すると湿チャネル表面が冷却されながら乾チャネルを通過する空気から熱を吸収し、乾チャネルを通過した空気は冷却されて室内に供給される。乾チャネルと湿チャネルが熱交換される部分には接触面積を増加させるために、繰り返して複数回折り曲げられたピンが使用される。
【０００６】
この時、抽気空気と水が供給される湿チャネルと冷却された室内空気を供給する乾チャネルは互いに完全に分離されていなければならない。このために、前記湿チャネルと乾チャネルが交互に繰り返し形成された構造の下部と上部にそれぞれ湿チャネル用と乾チャネル用のエアガイドを設置する。
【０００７】
このような例として、大韓民国登録特許１０−１０５５６６８号は乾チャネル部と湿チャネル部が繰り返し配列されて接合される単位モジュール（本発明の熱交換部）と、湿チャネル部の出口側に形成されて抽気空気と室内空気を分離させる湿チャネル案内ダクトを含んで構成され、前記案内ダクト（本発明のエアガイド）を湿チャネル部の内側または外側に差し込む結合部をさらに含む特徴がある。
【０００８】
しかし、このように、乾チャネル部と湿チャネル部を別途製作し接合して単位モジュールを製作し、さらに単位モジュールの上部と下部にエアガイドを結合する方式は、それぞれの部品を別途製作しなければならず、これを組み立てなければならない工程が要されるため製造費用が増加し、また単位モジュールとエアガイドの間で漏水が発生したり湿チャネルと乾チャネルのそれぞれの抽気空気と室内空気が混合されて冷却効率が低下する問題点が発生する恐れがある。
【０００９】
特に、乾チャネル部と湿チャネル部には断面が波状の（複数回折り曲げられた）フィン（ｆｉｎ）を含むことになるが、このフィンの製造が難しく、製造費用が多く要される問題点を予測することができる。
【００１０】
また、大韓民国登録特許第１０−１２０７５５１号には金属材質の熱交換本体と合成樹脂材質のガイド部材が結合された構成が開示されている。このような構造の前記熱交換本体とガイド部材の間には漏水および漏気発生の防止のためにシール部材を適用しなければならないが、シール部材の組立が難しく、シール部材を適用しても気密維持が難しいため、ガイド部材の組立部を通じて漏水された蒸発水がシステム内部の除湿ローターに流入して冷房能力の低下およびローターの故障を誘発し、製品の信頼性の確保が難しいという問題点がある。
【発明の概要】
【発明が解決しようとする課題】
【００１１】
本発明は前記のような問題点を解決するために、乾チャネルと湿チャネルを形成するための複数の隔壁板と熱交換部とエアガイドを、簡単な工程によって一体製造できるエアガイド一体型蒸発冷却機およびその製造方法を提供する。
【００１２】
また、本発明は前記のような問題点を解決するために、複数回繰返し折り曲げられたフィンを製造せずとも熱交換部の湿チャネルと乾チャネルの表面積を増加させることができるエアガイド一体型蒸発冷却機およびその製造方法を提供する。
【００１３】
さらに、本発明は前記のような問題点を解決するために、熱交換部の乾チャネルと湿チャネルを分離する板を従来に比べてより薄くして、熱交換を容易にしながらも十分な剛性を維持できるエアガイド一体型蒸発冷却機およびその製造方法を提供する。
【課題を解決するための手段】
【００１４】
前記のような課題を解決するための本発明のエアガイド一体型蒸発冷却機は、複数の隔壁板１０、２０、３０、４０と、前記複数の隔壁板１０、２０、３０、４０の間に位置し、中央部に互いに離隔して配置されて熱交換部５４、６４をなす複数のバー５２、６２と、前記複数の隔壁板１０、２０、３０、４０の縁に配置されて流体の流れ方向を決定するガイド部５１、６１からなる隙間部５０、６０を含んで構成される。
【００１５】
前記複数の隔壁板１０、２０、３０、４０は、一定間隔離隔した第１〜第３隔壁板１０、２０、３０を含み、前記第１隔壁板１０と第２隔壁板２０の間には室内空気と外気が流動する乾チャネル（ＤＣ）が形成され、前記第２隔壁板２０と第３隔壁板３０の間には水と抽気空気が流動する湿チャネル（ＷＣ）が形成されたものであり得る。
【００１６】
前記隙間部５０、６０は、前記第１隔壁板１０と第２隔壁板２０の間に具備される第１隙間部５０と前記第２隔壁板２０と第３隔壁板３０の間に具備される第２隙間部６０からなり、前記第１隙間部５０での流体の流れは前記第２隙間部６０での流体の流れと対向流を形成するものであり得る。
【００１７】
前記隔壁板１０、２０、３０、４０のそれぞれには、一側に突出するか複数個中の一部は一側に突出し残りは他側に突出した複数の浮き彫り１１、２１、３１、４１が形成されたものであり得る。
【００１８】
前記浮き彫り１１、２１、３１、４１のうち乾チャネル（ＤＣ）方向に突出した浮き彫り１１、２１、３１、４１は、前記室内空気と外気の流れ方向と平行した方向に長さを有するように形成されたものであり得る。
【００１９】
前記浮き彫り１１、２１、３１、４１は、隣接した他の隔壁板の浮き彫りと接するものであり得る。
【００２０】
前記ガイド部５１、６１は、前記隔壁板１０、２０、３０、４０の一側と他側の縁に互いに対向するように一対が具備され、前記隔壁板１０、２０、３０、４０と接触する面が接合されて前記一対のガイド部５１、６１の間の開放された一側を通じて前記流体が流入し、前記一対のガイド部５１、６１の間の開放された他側を通じて前記流体が流出するものであり得る。
【００２１】
前記バー（５２；ｂａｒ）は、前記隔壁板１０、２０、３０、４０の対角線方向である水平方向に一定間隔離隔して並んで配列された複数で構成されたものであり得る。
【００２２】
前記ガイド部５１、６１とバー５２、６２は、アルミニウムクラッドからなるものの、外層が内側に比べて溶融点が低いアルミニウムからなり、前記クラッドの外層が加熱によって溶けて前記ガイド部５１、６１とバー５２、６２は前記隔壁板１０、２０、３０、４０に一体で接合されるものであり得る。
【００２３】
前記複数のバー５２、６２は、内部が中空であって断面が長方形であるパイプ形状に形成され、前記バー５２、６２の一側面と他側面は隣り合う隔壁板にそれぞれ接触結合され、前記流体は隣り合うバー５２、６２の間の空間５３、６３の間と前記バー５２、６２の内部空間を通じて流動するものであり得る。
【００２４】
本発明によるエアガイド一体型蒸発冷却機の製造方法は、複数の隔壁板１０、２０、３０、４０と、前記複数の隔壁板１０、２０、３０、４０の間に位置し、中央部に互いに離隔して配置されて熱交換部５４、６４をなして内層と外層のクラッドからなる複数のバー５２、６２と、前記複数の隔壁板１０、２０、３０、４０の縁に配置されて流体の流れ方向を決定し、内層と外層のクラッドからなるガイド部５１、６１からなる隙間部５０、６０と、を含むエアガイド一体型蒸発冷却機の製造方法であって、ａ）前記複数の隔壁板１０、２０、３０、４０と前記バー５２、６２および前記ガイド部５１、６１を準備する段階と、ｂ）前記複数の隔壁板１０、２０、３０、４０中のいずれか一つの上部に前記バー５２、６２と前記ガイド部５１、６１を配列させた後、その次の隔壁板１０、２０、３０、４０を覆ってから前記バー５２、６２と前記ガイド部５１、６１を配列させる過程を繰返し遂行する段階と、ｃ）前記ｂ）段階の結果物を加熱して、前記ガイド部５１、６１とバー５２、６２で前記内層より溶融点が低い外層が溶けて、前記隔壁板１０、２０、３０、４０と前記バー５２、６２および前記ガイド部５１、６１が接合されるようにする段階を含む。
【００２５】
前記ガイド部５１、６１とバー５２、６２はアルミニウムクラッドからなるものであり得る。
【００２６】
前記ｂ）段階で、一つの隔壁板１０、２０、３０、４０を挟んで隣り合う隙間部５０、６０を流動する流体の流動方向が対向流となるように前記ガイド部５１、６１とバー５２、６２を配列するものであり得る。
【発明の効果】
【００２７】
本発明のエアガイド一体型蒸発冷却機は、複数の隔壁板とその隔壁板の間にエアガイドである第１隙間部と第２隙間部が一体に結合されるようにし、漏水および漏気の発生を防止し、熱交換効率を向上させることができる。
【００２８】
前記隔壁板に浮き彫り（ｅｍｂｏｓｓｉｎｇ）を形成して隔壁板の厚さを薄くしても十分な剛性を持たせることによって、薄い隔壁板の使用によって熱交換部の熱交換効率を向上させることができる。
【００２９】
前記第１隙間部と第２隙間部のバー（ｂａｒ）を利用してそれぞれ湿チャネル部と乾チャネル部の内側表面積を増加させることによって、従来のようなフィンの加工が不要となるため、製造費用を節減することができ、生産性を向上させることができる。
【００３０】
前記隔壁板と第１隙間部および第２隙間部を一度のブレージング工程で相互接合させることによって、機械的な結合に必要な付加構成要素を排除し、工程時間を短縮することができ、費用を節減することができる。
【図面の簡単な説明】
【００３１】
【図１】本発明の好ましい実施例に係るエアガイド一体型蒸発冷却機の分解斜視図。
【図２】図１における結合状態の斜視図。
【図３】（ａ）は図１における第１隔壁板１０と第１隙間部５０が重なった状態の構成図。（ｂ）は図１における第２隔壁板２０と第１隙間部５０が重なった状態の構成図。
【図４】図３（ａ）におけるＡ−Ａ断面図。
【図５】図１における第３隔壁板２０と第２隙間部６０の構成図。
【図６】本発明の他の実施例の構成図。
【図７】本発明の好ましい実施例に係るエアガイド一体型蒸発冷却機の製造工程フローチャート。
【発明を実施するための形態】
【００３２】
以下、本発明のエアガイド一体型蒸発冷却機およびその製造方法について添付図面を参照して詳細に説明する。
【００３３】
図１は本発明の好ましい実施例に係るエアガイド一体型蒸発冷却機の分解斜視図、図２は図１の結合状態斜視図である。
【００３４】
図１と図２をそれぞれ参照する。本発明の好ましい実施例に係るエアガイド一体型蒸発冷却機１００は、第１〜第４隔壁板１０、２０、３０、４０と、前記第１隔壁板１０と第２隔壁板２０の間と前記第３隔壁板３０と第４隔壁板４０の間にそれぞれ位置して乾チャネル（ＤＣ）の熱交換部と乾チャネル（ＤＣ）の流体の流れ方向を決定する一対の第１隙間部５０と、前記第２隔壁板２０と第３隔壁板３０の間に位置して湿チャネル（ＷＣ）の熱交換部と湿チャネル（ＷＣ）の流体の流れ方向を決定する第２隙間部６０を含んで構成される。
【００３５】
前記第１〜第４隔壁板１０、２０、３０、４０のそれぞれは厚さの薄い板状であって、全体的に菱形状から頂点の部分が切開された八角形の形状である。このような第１〜第４隔壁板１０、２０、３０、４０はその厚さが薄く、薄い厚さによって変形することを防止できるように第１〜第４隔壁板１０、２０、３０、４０のそれぞれには一方向または両方向に複数の浮き彫り（ｅｍｂｏｓｓｉｎｇ）１１、２１、３１、４１が形成されている。
【００３６】
前記第１〜第４隔壁板１０、２０、３０、４０の間に選択的に挿入設置される第１隙間部５０と第２隙間部６０は互いに類似する形状であるが、前記第１〜第４隔壁板１０、２０、３０、４０の間に位置した時、互いに反対の対角線方向（すなわち、対向流方向）に空気が移動できる通路を提供するという点で差がある。
【００３７】
すなわち、第１隔壁板１０と第１隙間部５０および第２隔壁板２０からなる乾チャネル（ＤＣ）を通過する空気の気流方向は、図面上左下側から右上側に向かう方向となり、湿チャネル（ＷＣ）を通過する水と抽気空気は左上側から右下側に向かう方向となるように前記第１隙間部５０と第２隙間部６０の形状は差がある。
【００３８】
前記乾チャネル（ＤＣ）は室内空気と室外空気が混合されて通過し、乾チャネル（ＤＣ）を通過した空気の一部を水に濡れている湿チャネル（ＷＣ）を通じて外部に抽気（ｅｘｈａｕｓｔ）させて水の蒸発を誘導する。水が湿チャネル（ＷＣ）の表面から蒸発すると湿チャネル（ＷＣ）表面が冷却されながら乾チャネル（ＤＣ）を通過する空気から熱を吸収することになり、乾チャネル（ＤＣ）を通過した空気は冷却されて室内に供給される。前記湿チャネル（ＷＣ）を通じて外部に抽気される空気は乾チャネル（ＤＣ）とは別途の流路を通じて流入した室内空気で構成することもできる。
【００３９】
図３（ａ）は図１で第１隔壁板１０と第１隙間部５０が重なった状態の構成図、図３（ｂ）は図１で第２隔壁板２０と第１隙間部５０が重なった状態の構成図である。
【００４０】
湿チャネル（ＷＣ）の一側に具備される乾チャネル（ＤＣ）は第１隔壁板１０と第１隙間部５０および第２隔壁板２０から構成される。
【００４１】
前記第１隙間部５０は空気が通過する方向を決定する一対のガイド部５１；５１ａ、５１ｂと、前記ガイド部５１とは分離されていて前記第１隔壁板１０の対角線方向である水平方向に一定間隔離隔して並んで配列される複数のバー（５２；ｂａｒ）から構成される。
【００４２】
図３（ａ）と図１および図２をそれぞれ参照する。前記乾チャネル（ＤＣ）の一部をなす第１隙間部５０の一対のガイド部５１ａ、５１ｂは図面上第１隔壁板１０の縁の周りに互いに対向するように位置するものの、左下側と右上側が開放されるように位置する。
【００４３】
前記一側のガイド部５１ａは、ガイド本体部５１−１ａ、前記ガイド本体部５１−１ａの上側端部から延長された第１ガイド延長部５１−２ａ、前記ガイド本体部５１−１ａの下側端部から延長された第２ガイド延長部５１−３ａで構成される。
【００４４】
前記ガイド本体部５１−１ａは８角形からなる第２隔壁板２０の左上側辺と同じ長さを有するように傾斜して具備される。
【００４５】
前記第１ガイド延長部５１−２ａは前記第２隔壁板２０の上側辺と同じ長さを有するように前記ガイド本体部５１−１ａの上側端部から水平方向に折り曲げられて延長される。
【００４６】
前記第２ガイド延長部５１−３ａは前記第２隔壁板２０の左側辺と同じ長さを有するように前記ガイド本体部５１−１ａの下側端部から垂直方向に折り曲げられて下向き延長され、前記複数のバー５２の側部に位置する。
【００４７】
前記他側のガイド部５１ｂは前記一側のガイド部５１ａと同じ形状であって、ガイド本体部５１−１ａと対向するように位置するガイド本体部５１−１ｂ、第１ガイド延長部５１−２ａと対向するように位置する第１ガイド延長部５１−２ｂ、第２ガイド延長部５１−３ａと対向するように位置する第２ガイド延長部５１−３ｂで構成される。
【００４８】
また、このような構造において、左下側の傾斜した開放部（ＤＣＩ）に流入する空気は前記複数のバー５２とこれら間の空間５３からなる乾チャネル熱交換部５４を通じて上向きに移動する。この時、乾チャネル熱交換部５４は湿チャネル（ＷＣ）の熱交換部６４と接触によって熱交換がなされ、乾チャネル熱交換部５４を通過する空気は熱交換によって冷却される。乾チャネル熱交換部５４で冷却された空気は室内冷房のために前記第１、２隔壁板１０、２０の右上側開放部（ＤＣＯ）を通じて室内に排出される。
【００４９】
前記バー５２は内部が中空であって、断面が長方形であるパイプ状で構成され得る。前記バー５２の一側面は第１隔壁板１０に接触結合され、他側面は第２隔壁板２０に接触結合される。
乾チャネル（ＤＣ）を通過する空気は隣り合うバー５２の間の空間５３および中空であるバー５２の内部空間を通じて流動する。前記バー５２は従来のフィンに代わって乾チャネル熱交換部５４の表面積を増加させて円滑な熱交換がなされ得るようにする。
【００５０】
このような構造の乾チャネル（ＤＣ）の一部をなす第１隔壁板１０と第２隔壁板２０には前記乾チャネル（ＤＣ）の空気流動方向と平行した所定長さの浮き彫り１１、２１がそれぞれ形成されている。前記浮き彫り１１、２１は空気流動通路になるだけでなく、前述した通り、第１隔壁板１０と第２隔壁板２０の形状を維持できる剛性を付与する。
【００５１】
前記第１隔壁板１０と第２隔壁板２０の浮き彫り１１、２１はそれぞれ前記バー５２とガイド部５１の突出した高さの半分からなり、第１隔壁板１０の浮き彫り１１と第２隔壁板２０の浮き彫り２１は端部が互いに接するものであり得る。
【００５２】
前記浮き彫り１１、２１は第１隔壁板１０と第２隔壁板２０のそれぞれに複数形成されており、設置状態で上下に配置される。
【００５３】
この場合、複数の浮き彫り１１、２１は、第１隔壁板１０と第２隔壁板２０の一側方向にのみ突出するように構成することもでき、両側方向に突出するように構成することもできる。
【００５４】
複数の浮き彫り１１、２１が一側方向にのみ突出する場合、第１隔壁板１０に形成された複数の浮き彫り１１がすべて右側面から右側に突出され、第２隔壁板２０に形成された複数の浮き彫り２１はすべて左側面から左側に突出されるもので構成することができる。
【００５５】
複数の浮き彫り１１、２１が両側方向に突出する場合、第１隔壁板１０に形成された複数の浮き彫り１１中の一部は右側に突出され残りの浮き彫り１１は左側に突出され、第２隔壁板２０に形成された複数の浮き彫り２１中の一部は右側に突出され残りの浮き彫り２１は左側に突出されるもので構成することができる。このように複数の浮き彫り１１、２１は突出する方向に差があり、上部と下部の浮き彫り１１、２１を上下に交互に突出するように構成することもできる。
【００５６】
このように複数の浮き彫り１１、２１が両側方向に突出した場合には、隔壁板１０、２０、３０、４０を連続して重ね合わせた時、それぞれから左右側に突出した浮き彫り１１、２１、３１、４１が互いに接しながら空間を形成する。
【００５７】
図面では浮き彫り１１、２１の長さを相対的に短く図示したが、第１、２隔壁板１０、２０の向き合う両辺に両端が位置するように長い長方形の構造であり得る。
【００５８】
前記では第１隔壁板１０と第２隔壁板２０に形成された浮き彫り１１、２１について説明したが、第３隔壁板３０と第４隔壁板４０に形成された浮き彫り３１、４１も同一形状で形成される。
【００５９】
図４は図３（ａ）におけるＡ−Ａ方向の断面図である。
【００６０】
図４を参照する。第１隔壁板１０と第２隔壁板２０で互いに向き合う方向にそれぞれ突出する浮き彫り１１、２１の一部は互いに接しており、図示していないが互いに反対方向に突出した他の浮き彫り１１、２１は互いに離隔して空間を形成する。
【００６１】
第１隔壁板１０と第２隔壁板２０の間の縁には一対のガイド部５１；５１ａ、５１ｂが位置して、空気の漏れを防止しつつ、一定方向（ＤＣＩからＤＣＯ）への空気の流れを作る。
【００６２】
このように本発明は、第１隔壁板１０と第１隙間部５０および第２隔壁板２０を利用して一側の乾チャネル（ＤＣ）を形成することができる。前記第１隔壁板１０と第２隔壁板２０は前記バー５２が位置する領域が熱交換部５４となり、残りの領域が前記ガイド部５１により空気の流れ方向が決定されるエアガイド部５５、５６となる。
【００６３】
すなわち、本発明は熱交換部５４とその熱交換部５４の上下部にそれぞれ設けられるエアガイド部５５、５６を一体形成することができる。
【００６４】
図５は図１における第３隔壁板３０と第２隙間部６０の構成図である。
【００６５】
図５を参照する。湿チャネル（ＷＣ）は第２隔壁板２０と第２隙間部６０および第３隔壁板３０で構成される。湿チャネル（ＷＣ）は左上側から水と抽気空気が流入し、水が蒸発されて第２隔壁板２０と第３隔壁板３０および第２隙間部６０を冷却させることによって乾チャネル（ＤＣ）を通過する空気を冷却させる。
【００６６】
前記第２隙間部６０は空気が通過する方向を決定する一対のガイド部６１；６１ａ、６１ｂと、前記ガイド部６１とは分離されており、前記第２隔壁板２０の対角線方向である水平方向に一定間隔離隔して並んで配列される複数のバー（６２；ｂａｒ）で構成される。
【００６７】
前記一側のガイド部６１ａはガイド本体部６１−１ａ、前記ガイド本体部６１−１ａの上側端部から延長された第１ガイド延長部６１−２ａ、前記ガイド本体部６１−１ａの下側端部から延長された第２ガイド延長部６１−３ａで構成される。
【００６８】
前記ガイド本体部６１−１ａは８角形からなる第３隔壁板３０の右上側辺と同じ長さを有するように傾斜して具備される。
【００６９】
前記第１ガイド延長部６１−２ａは前記第３隔壁板３０の上側辺部と同じ長さを有するように前記ガイド本体部６１−１ａの上側端部から水平方向に折り曲げられて延長される。
【００７０】
前記第２ガイド延長部６１−３ａは前記第３隔壁板３０の右側辺部と同じ長さを有するように前記ガイド本体部６１−１ａの下側端部から垂直方向に折り曲げられて下向き延長され、前記複数のバー６２の側部に位置する。
【００７１】
前記他側のガイド部６１ｂは前記一側のガイド部６１ａと同じ形状であって、ガイド本体部６１−１ａと対向するように位置するガイド本体部６１−１ｂ、第１ガイド延長部６１−２ａと対向するように位置する第１ガイド延長部６１−２ｂ、第２ガイド延長部６１−３ａと対向するように位置する第２ガイド延長部６１−３ｂで構成される。
【００７２】
前記バー６２は乾チャネル（ＤＣ）をなす第１隙間部５０のバー５２と同じ方向である第２隔壁板１０の対角線方向である水平方向に一定間隔離隔して並んで配列されている。
【００７３】
前記バー６２は内部が中空であって断面が長方形であるパイプ状で構成され得る。前記バー６２の一側面は第２隔壁板２０に接触結合され、他側面は第３隔壁板３０に接触結合される。
湿チャネル（ＷＣ）を通過する水と抽気空気は隣り合うバー６２の間の空間６３および中空であるバー６２の内部空間を通じて流動する。前記バー６２は従来のフィンに代わって湿チャネル熱交換部６４の表面積を増加させて円滑な熱交換がなされ得るようにする。
【００７４】
前記湿チャネル（ＷＣ）に供給される水と抽気空気は乾チャネル（ＤＣ）とは完全に分離されなければならないため、第２隙間部６０のガイド部６１は図面上左上側と右下側が開放されるように前記第２隔壁板２０の縁の周りに接するように具備される。
【００７５】
このような構造で水と抽気空気は左上側開放部（ＷＣＩ）に供給されて、前記バー６２の間の空間６３である熱交換部６４を通じて下向き移動し、さらに右下側開放部（ＷＣＯ）を通じて外部に排出される。
【００７６】
前記第３隔壁板３０に形成された浮き彫り３１も第２隔壁板２０の浮き彫り２１と同様に、一部は右側に突出され残りの浮き彫り３１は左側に突出されるもので構成することができる。
【００７７】
前記第２隔壁板２０の浮き彫り２１と第３隔壁板３０の浮き彫り３１が互いに向き合う方向に突出して端部が互いに接するように構成された場合、第２隔壁板２０と第３隔壁板３０の間に空間が形成され、水は前記浮き彫り２１、３１によってバー６２の上端に向かって流れるようにガイドされ、均一な蒸発がなされるようにすることができる。
【００７８】
前記複数の浮き彫り３１は突出する方向に差があり、上部と下部の浮き彫り３１を上下に交互に突出するように構成することもできる。
【００７９】
このように湿チャネル（ＷＣ）をなす第２隔壁板２０、第２隙間部６０および第３隔壁板３０は、前記第２隙間部６０のバー６２が接する位置に熱交換部６４が形成され、他の部分は水と抽気空気の流れ方向を決定するエアガイド部６５、６６を形成することで、熱交換部６４とエアガイド部６５、６６を一体形成してその間から漏水および漏気が発生することを防止できる。
【００８０】
前記湿チャネル（ＷＣ）と乾チャネル（ＤＣ）は、流体の流れ方向が熱交換部５４、６４では１８０度反対方向となり、エアガイド部５５、５６、６５、６６では直交することになり、全体的に対向流の流れが形成される。
また、湿チャネル（ＷＣ）と乾チャネル（ＤＣ）は対向流相互間に流体が混入される漏水および漏気を防止することによって、熱交換効率をより高めることができるようになる。これは乾チャネル（ＤＣ）を通過する温度の高い外気が低い温度の湿チャネル（ＷＣ）に流入することを防止できるためである。
【００８１】
前記第２隔壁板２０と第２隙間部６０および第３隔壁板３０は湿チャネル（ＷＣ）をなし、前記第３隔壁板３０の反対面に接する第１隙間部５０と第４隔壁板４０はまた乾チャネル（ＤＣ）をなす。
【００８２】
すなわち、本発明は湿チャネル（ＷＣ）を中央に置いて、両側面に乾チャネル（ＤＣ）が設けられた構造であり得、複数の湿チャネル（ＷＣ）と乾チャネル（ＤＣ）が交互に繰返し配置される構造で構成することもできる。
【００８３】
また、乾チャネル（ＤＣ）と湿チャネル（ＷＣ）を一対とする構造、すなわち湿チャネル（ＷＣ）の一側面にのみ乾チャネル（ＤＣ）を形成する構造にすることができ、この時の構造は前記の各図面において第１隔壁板１０、第１隙間部５０、第２隔壁板２０、第２隙間部６０、第３隔壁板３０からなる構造となる。
【００８４】
また、前記の例において、乾チャネル（ＤＣ）と湿チャネル（ＷＣ）の位置を変更することも可能となる。この時には乾チャネル（ＤＣ）の両側面に湿チャネル（ＷＣ）が位置する。
【００８５】
前記第１〜第４隔壁板１０、２０、３０、４０と第１隙間部５０、第２隙間部６０はすべてアルミニウム材質で構成することができ、特に湿チャネル（ＷＣ）をなす第２隔壁板２０と第３隔壁板３０および第２隙間部６０は水が表面によく広がるように親水性材質で表面処理されたものを使用することができる。
【００８６】
前記第１隙間部５０と第２隙間部６０はアルミニウム材質で構成され得る。この場合、ガイド部５１、６１とバー５２、６２は内層はアルミニウム３０００系列であり、外層は溶融温度の低いアルミニウム４０００系列からなるアルミニウムクラッド（Ｃｌａｄ）で構成することによって一度のブレージング（Ｂｒａｚｉｎｇ）により一体製造可能である。
【００８７】
図６は本発明の他の実施例の構成図である。前述した本発明に係るエアガイド一体型蒸発冷却機１００を複数製作し、これを相互結合して容量の大きいエアガイド一体型蒸発冷却機２００に作ることができる。
【００８８】
この場合、エアガイド一体型蒸発冷却機１００を相互結合する方法としては、所定の温度で加熱して接着剤を溶解させて接着させるブレージング（Ｂｒａｚｉｎｇ）を使用することができる。
【００８９】
図７は本発明の好ましい実施例に係るエアガイド一体型蒸発冷却機１００の製造工程フローチャートである。図７と前述した図１〜図５をそれぞれ参照して本発明の好ましい実施例に係るエアガイド一体型蒸発冷却機１００の製造方法を説明する。
【００９０】
まず、同じ形状の第１〜第４隔壁板１０、２０、３０、４０を製作する（段階Ｓ１０）。
【００９１】
図１〜図５に図示した通り、菱形状から頂点が切開された八角形状の第１〜第４隔壁板１０、２０、３０、４０を製作する（段階Ｓ１０）。この時、第１〜第４隔壁板１０、２０、３０、４０は多様な方法で製作され得、対角線方向に方向性を有する浮き彫り１１、２１、３１、４１を一緒に形成する。
【００９２】
その次に、前記第１〜第４隔壁板１０、２０、３０、４０の縁の一部に接して流体の流れ方向を決定するガイド部５１、６１を製作する（段階Ｓ２０）。
【００９３】
前記ガイド部５１、６１はその適用に応じて乾チャネル（ＤＣ）と湿チャネル（ＷＣ）を形成するもので説明されたが、その形状は互いに同一なものである。
【００９４】
説明の便宜上前記Ｓ１０段階と区分して説明するが、Ｓ２０段階はＳ１０段階と同時に進行され得る。
【００９５】
その次に、熱交換部５４、６４を形成するためのバー５２、６２を製作する（段階Ｓ３０）。Ｓ３０段階も前記Ｓ１０段階およびＳ２０段階と同時になされ得る。
【００９６】
以下で説明するＳ４０段階〜Ｓ６０段階は前記Ｓ１０段階〜Ｓ３０段階で準備された構成品を積層する段階である。
【００９７】
まず、前記第１隔壁板１０の上部に一対のガイド部５１ａ、５１ｂと前記一対のガイド部５１ａ、５１ｂの間に位置する複数のバー５２を配列し、第２隔壁板２０を覆って乾チャネル（ＤＣ）を形成する（段階Ｓ４０）。
【００９８】
その次に、前記第２隔壁板２０の上部に一対のガイド部６１ａ、６１ｂと複数のバー６２を配列し、前記ガイド部６１ａ、６１ｂの配列が前記ガイド部５１ａ、５１ｂの配置とは１８０度回転された（ｍｉｒｒｏｒ）方向となるように配列した後、第３隔壁板３０を覆って湿チャネル（ＷＣ）を形成する（段階Ｓ５０）。
【００９９】
その次に、前記第３隔壁板３０の上部に一対のガイド部５１ａ、５１ｂと複数のバー５２を配列し、第１隔壁板１０の上部に配列されるガイド部５１ａ、５１ｂと複数のバー５２の配列と同一になるようにした後、第４隔壁板４０を覆って乾チャネル（ＤＣ）を形成する（段階Ｓ６０）。
【０１００】
このように第１隔壁板１０、第１隙間部５０、第２隔壁板２０、第２隙間部６０、第３隔壁板３０、第１隙間部５０および第４隔壁板４０を順に積層する。この場合、第１隙間部５０と第２隙間部６０は互いに同一位置で熱交換部５４、６４を形成するバー５２、６２をそれぞれ具備し、流体の流れ方向が互いに対角線方向（熱交換部領域では反対方向、エアガイド領域では直交方向）となるように配置されたガイド部５１、５２を含む。
【０１０１】
前記Ｓ６０段階の結果物を加熱炉に入れてブレージング（Ｂｒａｚｉｎｇ）により相互接合する（段階Ｓ７０）。
【０１０２】
すなわち、Ｓ６０段階の結果物を設定された温度で加熱すると、溶融点の低いアルミニウム４０００系列からなるガイド部５１、６１とバー５２、６２の外層が溶けて第１隔壁板１０〜第４隔壁板４０との間に接合がなされる。
【０１０３】
したがって本発明は、隔壁板１０、２０、３０、４０と隙間部５０、６０は互いに機構的に結合せず、一度のブレージング（Ｂｒａｚｉｎｇ）によって一体に接合されるため、製造工程が簡単になる。
【０１０４】
また、隔壁板１０、２０、３０、４０と隙間部５０、６０の間で流体の漏れが発生せず、締結のための別途の機構的な手段を使用しないため、体積を減らし製造費用の増加を防止することができる。
【０１０５】
本発明は、前記実施例に限定されず、本発明の技術的要旨を逸脱しない範囲内で多様に修正、変形実施できることは、本発明が属する技術分野で通常の知識を有する者において自明である。
【符号の説明】
【０１０６】
１０  第１隔壁板
２０  第２隔壁板
３０  第３隔壁板
４０  第４隔壁板
５０  第１隙間部
６０  第２隙間部
１１、２１、３１、４１  浮き彫り
５１、６１  ガイド部
５２、６２  バー
【図１】
2017521629.tif 000003
【図２】
2017521629.tif 000004
【図３】
2017521629.tif 000005
【図４】
2017521629.tif 000006
【図５】
2017521629.tif 000007
【図６】
2017521629.tif 000008
【図７】
2017521629.tif 000009
【国際調査報告】
2017521629.tif 000010
2017521629.tif 000011
2017521629.tif 000012
2017521629.tif 000013